【事件の表示】
　特願２０１６−　２４６３５号「遊技機」拒絶査定不服審判事件〔平成２９年　８月１７日出願公開、特開２０１７−１４０２７９号〕について、次のとおり審決する。
【結　論】
　本件審判の請求は、成り立たない。
【理　由】
第１　手続の経緯
　本願は、平成２８年２月１２日の出願であって、平成２８年１１月２９日付けで拒絶の理由が通知され、平成２９年１月２５日に意見書及び手続補正書が提出されたところ、平成２９年６月２３日付けで拒絶査定がなされ、それに対して、平成２９年９月２７日に拒絶査定不服審判の請求がなされると同時に手続補正がなされ、平成２９年１２月１２日付けで最後の拒絶の理由が通知され、平成３０年２月１５日に意見書及び手続補正書が提出されたものである。
第２　平成３０年２月１５日にされた手続補正についての補正の却下の決定
［補正の却下の決定の結論］
　平成３０年２月１５日にされた手続補正（以下「本件補正」という。）を却下する。
［理由］（補正の適否の判断）
１　本件補正の概要
　本件補正は、特許請求の範囲を補正する内容を含んでおり、本件補正により、特許請求の範囲の請求項１は、
（補正前：平成２９年９月２７日付け手続補正）
「【請求項１】
　遊技者に有利な特別遊技を実行するか否かの判定を行う判定手段と、
　遊技者が接触可能な接触手段と、
　前記接触手段を含む所定の演出手段を用いて、所定の演出を実行可能な演出制御手段と、を備え、
　前記接触手段は、遊技者が接触しているときの遊技者の触感が互いに異なる第１態様と第２態様とに変化可能に構成され、
　前記演出制御手段は、所定期間にわたって前記接触手段への接触を促す接触演出を実行可能であり、前記接触演出の実行を終了した後において、前記判定の結果に基づいて、前記接触手段を前記第１態様から前記第２態様に変化させることを可能にすることを特徴とする遊技機。」
から、
（補正後：本件補正である平成３０年２月１５日付け手続補正）
「【請求項１】
　遊技者に有利な特別遊技を実行するか否かの判定を行う判定手段と、
　遊技者が接触可能な接触手段と、
　前記接触手段を含む所定の演出手段を用いて、所定の演出を実行可能な演出制御手段と、を備え、
　前記接触手段は、遊技者が接触しているときの遊技者の触感が互いに異なる第１態様と第２態様とに変化可能に構成され、
　前記演出制御手段は、
　
実行終了時
が
な接触演出制御手段と、
　
前記接触演出を実行した後、前記判定の結果に基づいて、所定の表示手段において変動表示していた複数の演出図柄を停止表示させる演出図柄制御手段と、
　
を有する
に補正された（下線は、補正箇所を明示するために当審で付した。）。
２　本件補正の適否
（１）補正事項
　本件補正は、補正前の請求項１について、以下に挙げる補正事項を含むものである。
ア　「前記演出制御手段」に関して、「前記接触手段を前記第１態様から前記第２態様に変化」させることが可能な時について、補正前の「前記接触演出の実行を終了した後」という記載を、「前記接触演出の実行終了時」という記載にすると共に、「所定期間にわたって前記接触手段への接触を促す接触演出を実行可能であり」、「前記判定の結果に基づいて、前記接触手段を前記第１態様から前記第２態様に変化」させることを可能にするものを「接触演出制御手段」とする補正。
イ　「前記演出制御手段」に関して、「前記接触演出を実行した後、前記判定の結果に基づいて、所定の表示手段において変動表示していた複数の演出図柄を停止表示させる演出図柄制御手段と、を有する」という記載を追加する補正。
（２）補正の目的等についての検討
ア　補正事項アは、「前記演出制御手段」の「前記接触手段を前記第１態様から前記第２態様に変化させる」時に関して、接触演出の実行終了後を含む「前記接触演出の実行を終了した後」から、接触演出の実行終了後を含まない「前記接触演出の実行終了時」に減縮すると共に、「前記判定の結果に基づいて、前記接触手段を前記第１態様から前記第２態様に変化させることを可能にする」手段を「接触演出制御手段」と規定する補正であり、また、補正後の請求項１に記載された発明は、補正前の請求項１に記載された発明と、産業上の利用分野及び解決しようとする課題が同一であるので、特許法第１７条の２第５項第２号に規定する特許請求の範囲の減縮を目的とするものに該当する。
イ　補正事項イは、「前記演出制御手段」に関して、「前記接触演出を実行した後、前記判定の結果に基づいて、所定の表示手段において変動表示していた複数の演出図柄を停止表示させる演出図柄制御手段」「を有することを」限定することにより減縮する補正であり、また、補正後の請求項１に記載された発明は、補正前の請求項１に記載された発明と、産業上の利用分野及び解決しようとする課題が同一であるので、特許法第１７条の２第５項第２号に規定する特許請求の範囲の減縮を目的とするものに該当する。
　また、本件補正は、当初明細書の【０１１０】の記載に基づくものであるから、新規事項を追加するものではなく、特許法第１７条の２第３項に違反しない。
３　独立特許要件
　そこで、本件補正後の請求項１に記載された発明（以下、「本願補正発明」という。）が特許法第１７条の２第６項において準用する同法第１２６条第７項の規定に適合するか（特許出願の際独立して特許を受けることができるものであるか）について以下に検討する。
（１）本願補正発明
　本願補正発明は、上記１の本件補正の概要において示した次のとおりのものである（Ａ〜Ｇは、本願補正発明を分説するため当審で付した。）。
「【請求項１】
Ａ　遊技者に有利な特別遊技を実行するか否かの判定を行う判定手段と、
Ｂ　遊技者が接触可能な接触手段と、
Ｃ　前記接触手段を含む所定の演出手段を用いて、所定の演出を実行可能な演出制御手段と、を備え、
Ｄ　前記接触手段は、遊技者が接触しているときの遊技者の触感が互いに異なる第１態様と第２態様とに変化可能に構成され、
Ｅ　前記演出制御手段は、
　所定期間にわたって前記接触手段への接触を促す接触演出を実行可能であり、前記接触演出の実行終了時において、前記判定の結果に基づいて、前記接触手段を前記第１態様から前記第２態様に変化させることが可能な接触演出制御手段と、
Ｆ　前記接触演出を実行した後、前記判定の結果に基づいて、所定の表示手段において変動表示していた複数の演出図柄を停止表示させる演出図柄制御手段と、を有することを特徴とする
Ｇ　遊技機。」
（２）引用文献１に記載された事項
　平成２９年１２月１２日付けの最後の拒絶の理由で引用文献１として引用された、本願の出願前に頒布された特開２０１５−７３６７０号公報（以下、「引用文献１」という。）には、図面とともに次の事項が記載されている（下線は当審で付した。以下同様。）。
（ア）「【００１７】
　
操作ボタン２２は
遊技者の押下操作を受け付ける押しボタンである
表示制御装置６では、操作スイッチ２２ａからの入力信号に応じて操作ボタン２２の操作状態（操作あり及び操作なし）を判断することが可能
操作ボタン２２は、後述する各種の演出処理（図１４〜図１６参照）において、遊技者の意思を演出に反映させ
（イ）「【００３０】
　そして、
パチンコ機１０
メイン制御ユニット３３１により大当たりの抽選が行われ
【００３１】
　また、パチンコ機１０では、一般入賞口３１３、上作動口３１４、下作動口３１５、及び可変入賞口３１６への遊技球の入球が、入球センサ３１３ａ〜３１６ａによって検出されると、予め設定された数の賞球が払い出される。例えば、一般入賞口３１３に入球した場合の賞球数は１０個、上作動口３１４又は下作動口３１５に入球した場合の賞球数は３個、可変入賞口３１６に入球した場合の賞球数は１５個である。特に、パチンコ機１０では、
メイン制御ユニット３３１で行われた抽選結果が大当たりである場合に、可変入賞口３１６が所定時間（例えば３０秒）開放される状態が所定回数（例えば１６回）繰り返されることにより
遊技者に遊技上の価値が与えられる
【００３２】
　可変表示ユニット３４は、遊技盤３１の略中央部に形成されている開口３１Ａを通して視認可能に配置された液晶ディスプレイなどの図柄表示部３４１を有している。この図柄表示部３４１は、静止画又は動画を表示するものであり、図柄表示部３４１の表示内容は、サブ制御ユニット３３２によって制御される。具体的に、
図柄表示部３４１では
内部抽選の結果に応じた図柄変動表示
が行われ
・・・
【００３４】
　そして、図柄表示部３４１における図柄変動表示が停止すると、図柄表示部３４１では、１ライン又は複数ラインに主図柄が並んだ状態が表示される。このとき、主図柄の停止状態が、メイン制御ユニット３３１による内部抽選の結果を明示することになる。例えば、
内部抽選の結果が確変大当たりの場合には、
奇数の図柄が１ラインに並んだ状態（例えば「３３３」又は「７７７」など）が表示される
内部抽選の結果が外れの場合には、異なる主図柄が１ラインに並んだ状態（例えば「３２３」又は「７２７」など）が表示される
（ウ）「【００７０】
　
表示制御装置６は
図柄表示部３４１における図柄変動表示を制御することにより演出表示を実行する
（エ）「【０１１１】
［表示制御装置６の処理］
　次に、図１０〜
図１６
表示制御装置６でＭＰＵ６１によって実行される各種の処理
表示制御装置６において、ＭＰＵ６１は
操作ボタン２２の操作を伴う操作演出を実行するための各種の操作演出処理
を実行する
（オ）「【０１３８】
＜ステップＳ１３０８＞
　また、ステップＳ１３０８では、変動開始コマンドに長押し操作演出を示す情報が含まれるか否かを判断する。例えば、変動開始コマンドに含まれる変動種別カウンタＣＳ３の値が、ＲＯＭ６１１に記憶された演出テーブル６１１ｄにおいて長押し操作演出を示す値と一致するか否かを判断する。一方、前述したように、音声ランプ制御装置５又は表示制御装置６が、主制御装置４から入力される変動パターンコマンドに基づいて演出内容を判断することも他の実施形態として考えられ、この場合、ステップＳ１３０８では、音声ランプ制御装置５又は表示制御装置６による判断結果に基づいて、今回実行する演出内容が長押し操作演出であるか否かを判断する。前記長押し操作演出とは、
図柄表示部３４１で行われる演出表示の実行中に、操作有効期間内における操作ボタン２２の
操作に応じて
操作結果画像が演出結果として表示される
（カ）「【０１４１】
　ここで、
図１７
特殊リーチが実行される場合の図柄表示部３４１の表示例
・・・
【０１４３】
　その後、予め設定されたタイミングで、
図１７（Ｂ）に示すように、
長押し操作告知画像が表示される。図１７（Ｂ）に示す例では、「ボタンを長押ししてパワーをためろ！」のメッセージと共に、パワーゲージ及びボタン図柄が表示される
・・・
【０１４５】
　
その後、
所定時間が経過すると、図１７（Ｃ）に示すように、
長押し操作開始画像が表示される
・・・
【０１４８】
　
その後、図１７（Ｆ）に示すように、
前記パワーゲージが満タンになると、図１７（Ｇ）に示すように、中央の図柄の変動が停止して１列に並ぶ同じ図柄及び「大当たり！」のメッセージを含む長押し操作結果画像が表示される
【０１４９】
　
一方、図柄表示部３４１の前記パワーゲージが満タンになるまでの間に、操作有効期間が経過すると、図１７（Ｈ）に示すように、前記パワーゲージのパワー量が一気になくなり、図１７（Ｉ）に示すように、１列に並ぶ異なる図柄及び「残念！」のメッセージを含む長押し操作結果画像が表示される
（キ）「【０２１６】
　例えば、前記長押し操作演出に対応して「成功！」の文字を含む長押し操作結果画像と「失敗！」の文字を含む長押し操作結果画像とがＲＯＭ６１１に記憶されており、前記変動開始コマンドに大当たり発生ありの情報が含まれる場合に「成功！」の文字を含む前記長押し操作結果画像を表示させ、前記変動開始コマンドに大当たり発生なしの情報が含まれる場合に「失敗！」の文字を含む前記長押し操作結果画像を表示させることが考えられる。また、
前記長押し操作結果画像は、大当たり発生の有無を示すものに限らず、例えば大当たり発生の期待度を示唆する
であってもよい
【０２１７】
　また、ステップＳ１６１８では、音声ランプ制御装置５に長押し操作コマンドが送信され、音声ランプ制御装置５は、前記長押し操作結果画像に対応する演出音声をスピーカ２６から出力し、前記長押し操作結果画像に対応する点灯態様で電飾部２７を点灯させる。これにより、前記長押し操作演出処理では、演出音声及び点灯態様によって演出効果が高められる。さらに、パチンコ機１０が、
操作ボタン２２を振動させる
振動手段を備え
ステップＳ１６１８において、前記長押し操作結果画像の表示と共に、振動手段を制御して操作ボタン２２を振動させることにより、大当たり発生又は大当たりの期待度が高いことを示す
（ク）【図１６】には、「表示制御装置の処理」として、「Ｓ１６１８」として「長押し操作演出画像の表示」が行われる旨図示されており、上記【０１１１】の「図１６・・・表示制御装置６でＭＰＵ６１によって実行される各種の処理」との記載を参酌すれば、図１６には、
Ｓ１６１８が表示制御装置６のＭＰＵ６１によって実行される
（ケ）【図１７】には以下の図面が記載されており（図面については、当審によって時計回りに９０度回転させた。）、
　【０１４１】には、「図１７・・・特殊リーチが実行される場合の図柄表示部３４１の表示例」と記載されている。
　そして、上記【０１４３】の「図１７（Ｂ）に示すように、・・・長押し操作告知画像が表示される。図１７（Ｂ）に示す例では、「ボタンを長押ししてパワーをためろ！」のメッセージと共に、パワーゲージ及びボタン図柄が表示される」との記載、上記【０１４５】の「その後、・・・所定時間が経過すると、図１７（Ｃ）に示すように、・・・長押し操作開始画像が表示される」との記載、上記【０１４８】の「その後、図１７（Ｆ）に示すように、・・・前記パワーゲージが満タンになると、図１７（Ｇ）に示すように、中央の図柄の変動が停止して１列に並ぶ同じ図柄及び「大当たり！」のメッセージを含む長押し操作結果画像が表示される」との記載、上記【０１４９】の「一方、図柄表示部３４１の前記パワーゲージが満タンになるまでの間に、操作有効期間が経過すると、図１７（Ｈ）に示すように、前記パワーゲージのパワー量が一気になくなり、図１７（Ｉ）に示すように、１列に並ぶ異なる図柄及び「残念！」のメッセージを含む長押し操作結果画像が表示される」との記載を参酌すると共に、図１７（Ｇ）、（Ｉ）において、長押し操作結果画像の表示が行われる際には、ボタン図柄の表示が終了しているといえるから、図１７には、
図柄表示部３４１において、「ボタンを長押ししてパワーをためろ！」のメッセージと共に、ボタン図柄の上に下向きの矢印がある画像であるボタン画像を表示し（図１７（Ｂ））、その後所定期間（図１７（Ｂ）〜（Ｆ）、（Ｈ））にわたって前記ボタン画像を表示した後、ボタン画像の表示が終了すると共に、中央の図柄の変動が停止して、１列に並ぶ同じ図柄及び長押し操作結果画像（図１７（Ｇ））、又は１列に並ぶ異なる図柄及び長押し操作結果画像（図１７（Ｉ））を表示すること
　以上の記載事項（ア）〜（キ）及び図示内容（ク）から、以下の事項が導かれる。
（ａ）上記【００３０】〜【００３１】には、「メイン制御ユニット３３１により大当たりの抽選が行われ・・・メイン制御ユニット３３１で行われた抽選結果が大当たりである場合に、可変入賞口３１６が所定時間（例えば３０秒）開放される状態が所定回数（例えば１６回）繰り返されることにより・・・遊技者に遊技上の価値が与えられる」と記載されているから、引用文献１には、
可変入賞口３１６が所定時間（例えば３０秒）開放される状態が所定回数（例えば１６回）繰り返されることにより、遊技者に遊技上の価値が与えられるかの大当たり抽選が行われるメイン制御ユニット３３１
（ｂ）上記【００１７】には、「操作ボタン２２は・・・遊技者の押下操作を受け付ける押しボタンである」と記載されているから、引用文献１には、
遊技者の押下操作を受け付ける操作ボタン２２
（ｃ）上記【０１３８】には「図柄表示部３４１で行われる演出表示の実行中に、操作有効期間内における操作ボタン２２の・・・操作に応じて・・・演出結果画像が演出結果として表示される」と記載され、上記【０１１１】には「表示制御装置６において、ＭＰＵ６１は・・・操作ボタン２２の操作を伴う操作演出を実行するための各種の操作演出処理・・・を実行する」と記載されているから、引用文献１には、
図柄表示部３４１で行われる演出表示の実行中に、操作有効期間内における操作ボタン２２の操作に応じて、演出結果画像が演出結果として表示されるように制御する表示制御装置６のＭＰＵ６１
（ｄ）上記【０２１７】には「操作ボタン２２を振動させる・・・振動手段を備え・・・長押し操作結果画像の表示と共に、振動手段を制御して操作ボタン２２を振動させることにより、大当たり発生又は大当たりの期待度が高いことを示す」と記載されているから、引用文献１には、
操作ボタン２２は、大当たり発生又は大当たりの期待度が高いことを示すために、振動手段を制御して振動させられ
（ｅ）上記（ｃ）において既に検討したように、引用文献１には、「図柄表示部３４１で行われる演出表示の実行中に、操作有効期間内における操作ボタン２２の操作に応じて、演出結果画像が演出結果として表示されるように制御する表示制御装置６のＭＰＵ６１」が記載され、上記（カ）には図１７の図示内容として「図柄表示部３４１において、「ボタンを長押ししてパワーをためろ！」のメッセージと共に、ボタン図柄の上に下向きの矢印がある画像であるボタン画像を表示し（図１７（Ｂ））、その後所定期間（図１７（Ｂ）〜（Ｆ）、（Ｈ））にわたって前記ボタン画像を表示した後、ボタン画像の表示が終了すると共に、中央の図柄の変動が停止して、１列に並ぶ同じ図柄及び長押し操作結果画像（図１７（Ｇ））、又は１列に並ぶ異なる図柄及び長押し操作結果画像（図１７（Ｉ））を表示すること」が図示され、上記【０２１７】には「ステップＳ１６１８において、前記長押し操作結果画像の表示と共に、振動手段を制御して操作ボタン２２を振動させることにより、大当たり発生又は大当たりの期待度が高いことを示す」と記載され、上記（ク）には、図１６の図示内容として、「Ｓ１６１８が表示制御装置６のＭＰＵ６１によって実行され」ることが図示されているのであるから、引用文献１には、
表示制御装置６のＭＰＵ６１は、「ボタンを長押ししてパワーをためろ！」のメッセージと共に、ボタン図柄の上に下向きの矢印がある画像であるボタン画像を表示し（図１７（Ｂ））、その後所定期間（図１７（Ｂ）〜（Ｆ）、（Ｈ））にわたって前記ボタン画像を表示した後、ボタン画像の表示が終了すると共に、長押し操作結果画像を表示し、長押し操作結果画像の表示と共に、振動手段を制御して操作ボタン２２を振動させることにより、大当たり発生又は大当たりの期待度が高いことを示す
（ｆ）上記【００３２】の「内部抽選の結果に応じた図柄変動表示」、及び【００３４】の「内部抽選の結果・・・奇数の図柄が１ラインに並んだ状態が表示」との記載から、図柄表示部３４１で行われる図柄の変動は、複数の図柄によって行われているといえる。そして、上記（ｃ）において既に検討したように、引用文献１には、「図柄表示部３４１で行われる演出表示の実行中に、操作有効期間内における操作ボタン２２の操作に応じて、演出結果画像が演出結果として表示されるように制御する表示制御装置６のＭＰＵ６１」が記載され、上記（ケ）には図１７の図示内容として「図柄表示部３４１において、「ボタンを長押ししてパワーをためろ！」のメッセージと共に、ボタン図柄の上に下向きの矢印がある画像であるボタン画像を表示し（図１７（Ｂ））、その後所定期間（図１７（Ｂ）〜（Ｆ）、（Ｈ））にわたって前記ボタン画像を表示した後、中央の図柄の変動が停止して、１列に並ぶ同じ図柄及び長押し操作結果画像（図１７（Ｇ））、又は１列に並ぶ異なる図柄及び長押し操作結果画像（図１７（Ｉ））を表示すること」が図示され、上記【００３２】には「図柄表示部３４１では、・・・内部抽選の結果に応じた図柄変動表示・・・が行われる」と記載され、上記【００３４】には「内部抽選の結果が確変大当たりの場合には、・・・奇数の図柄が１ラインに並んだ状態（例えば「３３３」又は「７７７」など）が表示される・・・内部抽選の結果が外れの場合には、異なる主図柄が１ラインに並んだ状態（例えば「３２３」又は「７２７」など）が表示される」と記載されているので、引用文献１には、
表示制御装置６のＭＰＵ６１は、所定期間（図１７（Ｂ）〜（Ｆ）、（Ｈ））にわたって前記ボタン画像を表示した後、内部抽選の結果に応じて、図柄表示部３４１において、複数の図柄の変動が停止して、１列に並ぶ同じ図柄（図１７（Ｇ））、又は１列に並ぶ異なる図柄（図１７（Ｉ））を表示する
（ｇ）上記【００３０】には、「
パチンコ機１０
　以上の検討から、引用文献１には、次の発明が記載されていると認められる（以下、「引用発明」という。ａ〜ｇは引用発明を分説するため当審で付した。）。
「ａ　可変入賞口３１６が所定時間（例えば３０秒）開放される状態が所定回数（例えば１６回）繰り返されることにより、遊技者に遊技上の価値が与えられるかの大当たり抽選が行われるメイン制御ユニット３３１と、
ｂ　遊技者の押下操作を受け付ける操作ボタン２２と、
ｃ　図柄表示部３４１で行われる演出表示の実行中に、操作有効期間内における操作ボタン２２の操作に応じて、演出結果画像が演出結果として表示されるように制御する表示制御装置６のＭＰＵ６１とを備え、
ｄ　操作ボタン２２は、大当たり発生又は大当たりの期待度が高いことを示すために、振動手段を制御して振動させられ、
ｅ　表示制御装置６のＭＰＵ６１は、「ボタンを長押ししてパワーをためろ！」のメッセージと共に、ボタン図柄の上に下向きの矢印がある画像であるボタン画像を表示し（図１７（Ｂ））、その後所定期間（図１７（Ｂ）〜（Ｆ）、（Ｈ））にわたって前記ボタン画像を表示した後、ボタン画像の表示が終了すると共に、長押し操作結果画像を表示し、長押し操作結果画像の表示と共に、振動手段を制御して操作ボタン２２を振動させることにより、大当たり発生又は大当たりの期待度が高いことを示し、
ｆ　表示制御装置６のＭＰＵ６１は、所定期間（図１７（Ｂ）〜（Ｆ）、（Ｈ））にわたって前記ボタン画像を表示した後、内部抽選の結果に応じて、図柄表示部３４１において、複数の図柄の変動が停止して、１列に並ぶ同じ図柄（図１７（Ｇ））、又は１列に並ぶ異なる図柄（図１７（Ｉ））を表示する、
ｇ　パチンコ機１０。」
（３）対比
　本願補正発明と引用発明とを対比する（対比の見出しとしての（ａ）〜（ｇ）は引用発明の分説構成と対応させた。）。
（ａ）引用発明における、「可変入賞口３１６が所定時間（例えば３０秒）開放される状態が所定回数（例えば１６回）繰り返されることにより、遊技者に遊技上の価値が与えられ」ること、及び、「大当たり抽選が行われる」ことは、それぞれ、本願補正発明における「遊技者に有利な特別遊技を実行」すること、及び、「特別遊技を実行するか否かの判定を行う」ことに相当するので、引用発明における「可変入賞口３１６が所定時間（例えば３０秒）開放される状態が所定回数（例えば１６回）繰り返されることにより、遊技者に遊技上の価値が与えられるかの大当たり抽選が行われるメイン制御ユニット３３１」は、本願補正発明における「遊技者に有利な特別遊技を実行するか否かの判定を行う判定手段」に相当する。
（ｂ）遊技者が操作ボタン２２を押下操作するにあたっては、遊技者が操作ボタン２２に接触することは明らかであるから、引用発明における「遊技者の押下操作を受け付ける操作ボタン２２」は、本願補正発明における「遊技者が接触可能な接触手段」に相当する。
（ｃ）引用発明における「操作ボタン２２」及び「図柄表示部３４１」は、本願補正発明における、「前記接触手段」及び「所定の演出手段」に相当し、引用発明における「表示制御装置６のＭＰＵ６１」は、操作ボタン２２の操作に応じて図柄表示部３４１で行われる演出表示を制御するので、操作ボタン２２や図柄表示部３４１を用いた演出を実行しているといえるから、本願補正発明における「演出制御手段」に相当する。
　してみれば、引用発明における「図柄表示部３４１で行われる演出表示の実行中に、操作有効期間内における操作ボタン２２の操作に応じて、演出結果画像が演出結果として表示されるように制御する表示制御装置６のＭＰＵ６１」は、本願補正発明における「前記接触手段を含む所定の演出手段を用いて、所定の演出を実行可能な演出制御手段」に相当する。
（ｄ）引用発明における、「操作ボタン２２は、大当たり発生又は大当たりの期待度が高いことを示すために、振動させられることがあ」るという構成は、大当たり発生の時、又は、大当たりの期待度が高い時に、操作ボタン２２が振動していない態様から、操作ボタン２２が振動させられた態様にする、ということを意味している。
　操作ボタン２２が振動していない態様と操作ボタン２２が振動させられた態様では、遊技者が操作ボタン２２に接触しているときの遊技者の触感が互いに異なっていることは明らかなので、操作ボタン２２は、遊技者が操作ボタン２２に接触しているときの遊技者の触感が互いに異なる、振動していない態様と振動させられた態様とをとることができるといえる。
　つまり、引用発明における「操作ボタン２２は、大当たり発生又は大当たりの期待度が高いことを示すために、振動させられることがあ」ることは、本願補正発明における「前記接触手段は、遊技者が接触しているときの遊技者の触感が互いに異なる第１態様と第２態様とに変化可能に構成され」ることに相当する。
（ｅ）引用発明における、ボタン図柄の上に下向きの矢印がある画像であるボタン画像は、「ボタンを長押ししてパワーをためろ！」のメッセージと共に表示され、ボタン図柄は操作ボタン２２を意味し、ボタン図柄の上の下向きの矢印は、ボタンの操作方向である押下方向と同じものであるから、遊技者にボタンを長押しすることを促している画像であるといえる。
　そして、上記（ｂ）において既に検討したように、遊技者が操作ボタン２２を押下操作するにあたっては、遊技者が操作ボタン２２に接触することは明らかであるから、引用発明において、「ボタン図柄の上に下向きの矢印がある画像であるボタン画像を表示し（図１７（Ｂ））、その後所定期間（図１７（Ｂ）〜（Ｆ）、（Ｈ））にわたって前記ボタン画像を表示」することは、本願補正発明における、「所定期間にわたって前記接触手段への接触を促す接触演出を実行」することに相当する。
　また、引用発明において、長押し操作結果画像の表示と共に操作ボタン２２を振動させるタイミングである、「ボタン画像の表示が終了する」時は、本願補正発明における「前記接触演出の実行終了時」に相当する。
　そして、引用発明における「長押し操作結果画像を表示し、長押し操作結果画像の表示と共に、振動手段を制御して操作ボタン２２を振動させることにより、大当たり発生」「を示す」ことについて、上記（ｄ）においても検討したように「操作ボタン２２を振動させる」ことは、操作ボタン２２が振動していない態様から、振動させられた態様にするということを意味している。
　また、引用発明における、ボタンの振動により「大当たり発生」「を示す」ことは、大当たり時にボタンを振動させることであり、大当たりはメイン制御ユニット３３１における大当たり抽選に基づいて発生するので、ボタンの振動が「大当たり抽選」に基づいているといえる。
　そうすると、引用発明の「長押し操作結果画像を表示し、長押し操作結果画像の表示と共に、振動手段を制御して操作ボタン２２を振動させることにより、大当たり発生」を示すことは、本願補正発明における、「判定の結果に基づいて、前記接触手段を前記第１態様から前記第２態様に変化させる」ことに相当する。
　してみれば、引用発明における「「ボタンを長押ししてパワーをためろ！」のメッセージと共に、ボタン図柄の上に下向きの矢印がある画像であるボタン画像を表示し（図１７（Ｂ））、その後所定期間（図１７（Ｂ）〜（Ｆ）、（Ｈ））にわたって前記ボタン画像を表示した後、ボタン画像の表示が終了すると共に、長押し操作結果画像を表示し、長押し操作結果画像の表示と共に、振動手段を制御して操作ボタン２２を振動させることにより、大当たり発生又は大当たりの期待度が高いことを示」す「表示制御装置６のＭＰＵ６１」は、本願発明の「所定期間にわたって前記接触手段への接触を促す接触演出を実行可能であり、前記接触演出の実行終了時において、前記判定の結果に基づいて、前記接触手段を前記第１態様から前記第２態様に変化させることが可能な接触演出制御手段」に相当する。
（ｆ）引用発明における「所定期間（図１７（Ｂ）〜（Ｆ）、（Ｈ））にわたって前記ボタン画像を表示した後」について、上記（ｅ）において検討したように、「所定期間（図１７（Ｂ）〜（Ｆ）、（Ｈ））にわたって前記ボタン画像を表示」することが、本願補正発明における、「（所定期間にわたって前記接触手段への接触を促す）接触演出を実行」することに相当するので、「所定期間（図１７（Ｂ）〜（Ｆ）、（Ｈ））にわたって前記ボタン画像を表示した後」は、本願補正発明における「接触演出を実行した後」に相当する。
　また、「内部抽選の結果に応じて、図柄表示部３４１において、複数の図柄の変動が停止して、１列に並ぶ同じ図柄（図１７（Ｇ））、又は１列に並ぶ異なる図柄（図１７（Ｉ））を表示する」ことは、本願発明における「前記判定の結果に基づいて、所定の表示手段において変動表示していた複数の演出図柄を停止表示させる」ことに相当する。
　そして、複数の図柄の変動が停止して１列に並ぶ同じ図柄又は１列に並ぶ異なる図柄を表示するタイミングは、所定期間（図１７（Ｂ）〜（Ｆ）、（Ｈ））にわたって前記ボタン画像を表示した後であるので、引用発明における、「所定期間（図１７（Ｂ）〜（Ｆ）、（Ｈ））にわたって前記ボタン画像を表示した後、内部抽選の結果に応じて、図柄表示部３４１において、複数の図柄の変動が停止して、１列に並ぶ同じ図柄（図１７（Ｇ））、又は１列に並ぶ異なる図柄（図１７（Ｉ））を表示する」「表示制御装置６のＭＰＵ６１」は、本願発明の「記接触演出を実行した後、前記判定の結果に基づいて、所定の表示手段において変動表示していた複数の演出図柄を停止表示させる演出図柄制御手段」に相当する。
（ｇ）引用発明における「パチンコ機１０」は、本願補正発明における「遊技機」に相当する。
　以上の検討より、本願補正発明と引用発明とは、
「【請求項１】
Ａ　遊技者に有利な特別遊技を実行するか否かの判定を行う判定手段と、
Ｂ　遊技者が接触可能な接触手段と、
Ｃ　前記接触手段を含む所定の演出手段を用いて、所定の演出を実行可能な演出制御手段と、を備え、
Ｄ　前記接触手段は、遊技者が接触しているときの遊技者の触感が互いに異なる第１態様と第２態様とに変化可能に構成され、
Ｅ　前記演出制御手段は、
　所定期間にわたって前記接触手段への接触を促す接触演出を実行可能であり、前記接触演出の実行終了時において、前記判定の結果に基づいて、前記接触手段を前記第１態様から前記第２態様に変化させることが可能な接触演出制御手段と、
Ｆ　前記接触演出を実行した後、前記判定の結果に基づいて、所定の表示手段において変動表示していた複数の演出図柄を停止表示させる演出図柄制御手段と、を有することを特徴とする
Ｇ　遊技機。」である点で一致し、相違する点はない。
（４）判断
　したがって、本願補正発明は、引用発明であり、引用文献１に記載された発明である。
（５）請求人の主張について
　請求人は、平成３０年２月１５日付け意見書において、「補正後の本願発明は、演出制御手段は、所定期間にわたって接触手段への接触を促す接触演出を実行可能であり、接触演出の実行終了時において、判定の結果に基づいて、接触手段を第１態様から第２態様に変化させることが可能な接触演出制御手段と、接触演出を実行した後、判定の結果に基づいて、所定の表示手段において変動表示していた複数の演出図柄を停止表示させる演出図柄制御手段と、を有する点に特徴があります。
　補正後の本願発明と引用文献１とを対比しますと、本願発明では、接触演出において接触手段を第１態様から第２態様に変化させるタイミングを接触演出の実行終了時とし、接触演出を実行した後、判定の結果に基づいて、所定の表示手段において変動表示していた複数の演出図柄を停止表示させるようにしております。
　これに対して、引用文献１では、演出図柄が停止するタイミングにおいて、本願発明の接触手段を第１態様から第２態様に変化させる接触演出に相当する長押し操作結果画像（段落［０２１７］参照）を停止表示させるようにしております。
　よって、本願発明は、引用文献１とは判定の結果に基づいて、接触手段を第１態様から第２態様に変化させるタイミングが異なります。」（以下、「主張１」という。）及び「このような本願発明によれば、接触演出の実行終了時において、接触手段に接触している遊技者の手に振動を与えて大当たり期待度を示唆する遊技演出を実現することが可能になります。」（以下、「主張２」という。）と主張している。
　しかしながら、主張１について、本願補正発明において、接触手段を第１態様から第２態様に変化させるタイミングは、「接触演出の実行終了時」であり、引用発明において、操作ボタン２２を振動させるタイミングは、「ボタン画像の表示が終了」するタイミングであるので、請求人のいう「接触手段を第１態様から第２態様に変化させるタイミング」は、本願補正発明と引用発明で異なっていない。
　また、主張２について、「遊技者の手に振動を与えて大当たり期待度を示唆する遊技演出を実現する」ためには、「遊技者の手に振動を与え」るタイミングが、大当たりとなることが確実となる前、つまり、演出図柄を停止表示させる前である必要がある。
　しかしながら、本願補正発明において、接触手段を第１態様から第２態様に変化させるタイミング、及び、所定の表示手段において変動表示していた複数の演出図柄を停止表示させるタイミングは、それぞれ、「接触演出の実行終了時」、及び、「接触演出を実行した後」であって、接触手段を第１態様から第２態様に変化させるタイミングと、所定の表示手段において変動表示していた複数の演出図柄を停止表示させるタイミングとの関係が特定されているわけではない。
　このため、本願発明は「遊技者の手に振動を与えて大当たり期待度を示唆する」ことができるとは限らず、当該主張２は請求項の記載に基づいたものではない。
（６）まとめ
　以上のように、本願補正発明は、引用発明と同一の発明であるから、特許法第２９条第１項第３号の規定により、特許出願の際独立して特許を受けることができない。
４　補正却下の決定についてのむすび
　上記３より、本件補正は、特許法第１７条の２第６項において準用する同法第１２６条第７項の規定に違反するので、同法第１５９条第１項において読み替えて準用する同法第５３条第１項の規定により却下すべきものである。
第３　本願発明について
１　本願発明
　本件補正（平成３０年２月１５日付け手続補正）は上記第２のとおり却下されたので、本願の請求項１に係る発明（以下、「本願発明」という。）は、平成２９年９月２７日付け手続補正書により補正された、上記「第２［理由］１」で前述した特許請求の範囲の請求項１に記載された次のとおりのものである。
「【請求項１】
　遊技者に有利な特別遊技を実行するか否かの判定を行う判定手段と、
　遊技者が接触可能な接触手段と、
　前記接触手段を含む所定の演出手段を用いて、所定の演出を実行可能な演出制御手段と、を備え、
　前記接触手段は、遊技者が接触しているときの遊技者の触感が互いに異なる第１態様と第２態様とに変化可能に構成され、
　前記演出制御手段は、所定期間にわたって前記接触手段への接触を促す接触演出を実行可能であり、前記接触演出の実行を終了した後において、前記判定の結果に基づいて、前記接触手段を前記第１態様から前記第２態様に変化させることを可能にすることを特徴とする遊技機。」
２．前置審査段階における拒絶の理由
　前置審査段階において通知された平成２９年１２月１２日付け拒絶理由は、この出願の下記の請求項に係る発明は、その出願前に日本国内又は外国において、頒布された下記の刊行物に記載された発明又は電気通信回線を通じて公衆に利用可能となった発明であるから、特許法第２９条第１項第３号に該当し、特許を受けることができないというもの、及び、この出願の下記の請求項に係る発明は、その出願前に日本国内又は外国において、頒布された下記の刊行物に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない、というものである。
引用文献１：特開２０１５−７３６７０号公報
３．引用文献１に記載された事項
　平成２９年１２月１２日付け拒絶理由に引用された本願出願前に頒布された引用文献１の記載事項及び引用発明の認定については、上記「第２［理由］３（２）」に記載したとおりである。
４．対比・判断
　本願補正発明は、上記「第２［理由］１」で検討したように、本願発明に対して、「前記演出制御手段」に関して、「前記接触手段を前記第１態様から前記第２態様に変化」させることが可能な時について、「接触演出の実行を終了した後」から、「接触演出の実行終了時」へと限定すると共に、「所定期間にわたって前記接触手段への接触を促す接触演出を実行可能であり」「前記判定の結果に基づいて、前記接触手段を前記第１態様から前記第２態様に変化」させることを行うものを「接触演出制御手段」とし、さらに、「前記演出制御手段」について、「前記接触演出を実行した後、前記判定の結果に基づいて、所定の表示手段において変動表示していた複数の演出図柄を停止表示させる演出図柄制御手段と、を有する」という特定事項で限定したものである。
　そうすると、本願発明の構成要件をすべて含み、さらに「接触手段を前記第１態様から前記第２態様に変化」させうる時の取り得る範囲をさらに減縮したものに相当する本願補正発明が、上記「第２［理由］３（４）に記載したとおり、引用発明と同一の発明であるから、本願発明も、同様の理由により、引用発明と同一の発明である。
５　むすび
　以上のとおりであるから、本願発明は、特許法第２９条第１項第３号に該当し、特許を受けることができない。
　したがって、本願は拒絶すべきものである。
　よって、結論のとおり審決する。